(57)【要約】【課題】  安価に折り畳み式マットを製造することができる方法を提供する。【解決手段】  表面シート２の裏面に、所要の厚さと弾性を有するスポンジ状の発泡合成樹脂板３をラミネートする際に、上記発泡合成樹脂板３を複数枚の板片３ａ，３ｂ，３ｃに分割し、上記シート２の裏面にこの複数枚の板片３ａ，３ｂ，３ｃがラミネートされたマット１が当該板片３ａ，３ｂ，３ｃ同士の間で裏面側に折り畳み可能となるように、この板片３ａ，３ｂ，３ｃ同士の間に所定の間隔をあけて当該板片３ａ，３ｂ，３ｃを上記表面シート２の裏面にラミネートして、折り畳み式マット１を製造する。【選択図】      図１
2005211399.tif 000002
【特許請求の範囲】
【請求項１】
表面シートの裏面に、所要の厚さと弾性を有するスポンジ状の発泡合成樹脂板をラミネートして製造するマットの製造方法において、上記発泡合成樹脂板を複数枚の板片に分割し、上記表面シートの裏面にこの複数枚の板片がラミネートされたマットが当該板片同士の間で裏面側に折り畳み可能となるように、この板片同士の間に所定の間隔をあけて当該板片を上記表面シートの裏面にラミネートすることを特徴とする折り畳み式マットの製造方法。
【請求項２】
表面シートの裏面に、所要の厚さと弾性を有するスポンジ状の発泡合成樹脂板がラミネートされたマットであって、上記発泡合成樹脂板は複数枚の板片に分割されており、この板片同士の間で上記マットが裏面側に折り畳み可能なように、上記板片同士の間に所定の間隔があけられていることを特徴とする折り畳み式マット。
【請求項３】
上記発泡合成樹脂板は３枚以上の板片に分割され、複数の折り畳み部が形成されていることを特徴とする請求項２に記載の折り畳み式マット。
【請求項４】
上記発泡合成樹脂板は２枚の板片に分割されており、上記マットを折り畳んだ状態で、同位置に位置するマットの端面付近のそれぞれに、互いに係着する係着手段が設けられていることを特徴とする請求項２に記載の折り畳み式マット。
【請求項５】
上記マットの端面付近のそれぞれに設けられている係着手段は、マットの一方の端面付近に形成されたスリットと、他方の端面が切り込まれることによって形成され、上記スリットに嵌り込んで係合する係合片とであることを特徴とする請求項４に記載の折り畳み式マット。
【請求項６】
上記マットは、座布団程度の大きさであることを特徴とする請求項２乃至５のいずれか１項に記載の折り畳み式マット。
【発明の詳細な説明】
【技術分野】
【０００１】
本発明は、携行や収納等に至便な折り畳み式マット及びその製造方法に関するものである。
【背景技術】
【０００２】
従来、キャンプや登山等には、就寝時に身体を保温するため、レジャーマットが用いられている。このレジャーマットは、数ｍｍ程度の厚さを有するスポンジ状の発泡合成樹脂板の片面にアルミ箔を貼着し、これを一人または二人の人が横臥するのに必要な長さと幅を有するように切断したものである。また、このレジャーマットにおいては、携行性を向上させるためにできるだけ嵩低く折り畳めることが望ましく、このような折り畳み可能なマットの製造方法が種々提案されている。
【０００３】
例えば、特許文献１には、所要の厚さと弾性を有するスポンジ状の発泡合成樹脂板の表裏両面に、織布またはシートが接着されたマットに対し、その表裏両面から所要の間隔で交互に切り目を入れ、マットを表裏交互に折り返して折り畳むことができるようにする折り畳み可能なマットの製造方法が開示されている。
【特許文献１】特許第２８３９２４１号公報
【発明の開示】
【発明が解決しようとする課題】
【０００４】
しかしながら、上記製造方法では、発泡合成樹脂板と織布またはシートとを接着してマットを構成する工程と、このマットに表面から切り目を入れる工程と、裏面から切れ目を入れる工程とが必要であり、工程が多く、折り畳み可能なマットの製造コストが高くなる。
【０００５】
本発明は、このような事情に鑑み、さらに安価に折り畳み式マットを製造することができる方法と、この方法により製造された折り畳み式マットを提供することを目的とする。
【課題を解決するための手段】
【０００６】
請求項１に係る発明は、表面シートの裏面に、所要の厚さと弾性を有するスポンジ状の発泡合成樹脂板をラミネートして製造するマットの製造方法において、上記発泡合成樹脂板を複数枚の板片に分割し、上記表面シートの裏面にこの複数枚の板片がラミネートされたマットが当該板片同士の間で裏面側に折り畳み可能となるように、この板片同士の間に所定の間隔をあけて当該板片を上記表面シートの裏面にラミネートする折り畳み式マットの製造方法である。
【０００７】
請求項２に係る発明は、表面シートの裏面に、所要の厚さと弾性を有するスポンジ状の発泡合成樹脂板がラミネートされたマットであって、上記発泡合成樹脂板は複数枚の板片に分割されており、この板片同士の間で上記マットが裏面側に折り畳み可能なように、上記板片同士の間に所定の間隔があけられている折り畳み式マットである。
【０００８】
請求項３に係る発明は、上記請求項２に記載の折り畳み式マットにおいて、上記発泡合成樹脂板は３枚以上の板片に分割され、複数の折り畳み部が形成されているものである。
【０００９】
請求項４に係る発明は、上記請求項２に記載の折り畳み式マットにおいて、上記発泡合成樹脂板は２枚の板片に分割されており、上記マットを折り畳んだ状態で、同位置に位置するマットの端面付近のそれぞれに、互いに係着する係着手段が設けられているものである。
【００１０】
請求項５に係る発明は、上記請求項４に記載の折り畳み式マットにおいて、上記マットの端面付近のそれぞれに設けられている係着手段は、マットの一方の端面付近に形成されたスリットと、他方の端面が切り込まれることによって形成され、上記スリットに嵌り込んで係合する係合片とであるものである。
【００１１】
請求項６に係る発明は、上記請求項２乃至５のいずれか１項に記載の折り畳み式マットにおいて、上記マットを座布団程度の大きさとしたものである。
【発明の効果】
【００１２】
請求項１に係る発明によれば、発泡合成樹脂板を複数枚の板片に分割し、表面シートの裏面にこの複数枚の板片がラミネートされたマットが当該板片同士の間で折り畳み可能となるように、この板片同士の間に所定の間隔をあけて当該板片を上記表面シートの裏面にラミネートすることにより、特許文献１のようにマットに切り目を入れる工程を要せず、ラミネート工程のみで折り畳み式マットを製造することができ、このマットを安価に製造することができる。
【００１３】
請求項２に係る発明によれば、この折り畳み式マットは、上記製造方法により安価に製造することができるため、この折り畳み式マットを安価に市場に提供することができる。
【００１４】
請求項３に係る発明によれば、板片同士の間の複数箇所でマットを表裏交互に折り返して折り畳むことができ、マットをコンパクトに折り畳むことができる。
【００１５】
請求項４に係る発明によれば、マットの端面付近のそれぞれに互いに係着する係着手段が設けられているために、マットを折り畳んだ状態でバンド等を用いて固縛しなくとも、上記係着手段を係着させることにより、マットのみで折り畳んだ状態を維持することができ、さらに携行性を向上させることができる。
【００１６】
請求項５に係る発明によれば、上記係着手段を安価に設けることができる。
【００１７】
請求項６に係る発明によれば、折り畳み式マットが座布団程度の大きさであるので、例えばレジャーの食事時等に座布団として使用することができ、このようなレジャーにおいても当該マットをコンパクトに折り畳んで携行することができる。
【発明を実施するための最良の形態】
【００１８】
本発明を実施するための最良の形態を図面に基づいて説明する。
【００１９】
まず、本発明の第１実施形態に係る折り畳み式マット１を図１〜３に示す。このマット１は、一人または二人の人が横臥できる程度の長さと幅を有した矩形状であり、表面シート２の裏面に、所要の厚さと弾性を有するスポンジ状の発泡合成樹脂板３がラミネートされている。
【００２０】
上記表面シート２は、例えば発泡ポリエチレン等の合成樹脂板の表面に、アルミニウムを蒸着またはアルミ箔を接着したもの、若しくはその表面に印刷等により文字や模様等を施したもの、着色フィルム、またはその表面に布を貼り付けたものや織布等である。
【００２１】
上記発泡合成樹脂板３は、例えば発泡ポリエチレン等により構成されており、上記マット１の長手方向で均等に複数枚（本実施形態では３枚）の板片３ａ，３ｂ，３ｃに分割されている。そして、この板片３ａ，３ｂ，３ｃ同士の間で上記マット１が裏面側に折り畳み可能なように、上記板片３ａ，３ｂ，３ｃ同士の間に所定の間隔Ｌがあけられている。
【００２２】
具体的には、上記間隔Ｌは発泡合成樹脂板２枚分の厚みと同程度の寸法に設定されている。そのため、この間隔Ｌがあけられている折り畳み部においては、当該マット１は表面側にも裏面側にも容易に折り畳むことができるようになっている。また、本実施形態では、上記折り畳み部が２箇所に設けられているために、マット１は、図３に示すように表裏交互に折り返して三つ折り状に折り畳むことができ、マット１をコンパクトに折り畳むことができる。
【００２３】
このマット１を使用するときには図１に示すように、マット１を伸ばすことにより、このマット１の上に人が横になって身体を保温することができ、携行するときには図３に示すように、このマット１を表裏交互に折り返して折り畳むことにより、当該マット１をコンパクトなサイズにして容易に携行することができる。
【００２４】
次に、この折り畳み式マット１を製造する方法を説明する。
【００２５】
上記表面シート２の裏面に上記発泡合成樹脂板３をラミネートする際に、予め上記発泡合成樹脂板３を複数枚（本実施形態では３枚）の板片３ａ，３ｂ，３ｃに分割し、上記表面シート２の裏面にこの複数枚の板片３ａ，３ｂ，３ｃがラミネートされたマットが当該板片同士の間で裏面側に折り畳み可能となるように、この板片３ａ，３ｂ，３ｃ同士の間に所定の間隔Ｌをあけて当該板片３ａ，３ｂ，３ｃを上記表面シート２の裏面にラミネートする。具体的には、上記板片３ａ，３ｂ，３ｃ同士の間に、当該板片２枚分の厚みと同程度の間隔をあける。
【００２６】
このように折り畳み式マット１を製造することにより、特許文献１に示されるように、マット１に切り目を入れる工程を要せず、ラミネート工程のみで折り畳み式マット１を製造することができ、このマット１を安価に製造することができる。
【００２７】
この製造方法により製造された折り畳み式マット１は、安価に製造することができるため、この折り畳み式マット１を安価に市場に提供することができる。
【００２８】
次に、本発明の第２実施形態に係る折り畳み式マット１０を図４及び図５に示す。上記第１実施形態と同一構成部分には同一符号を付して、その説明を省略する。
【００２９】
このマット１０は、座布団程度の大きさであり、例えばレジャーの食事時等に座布団として使用することができるものである。
【００３０】
このマット１０を構成する発泡合成樹脂板は、２枚の板片３ｄ，３ｅに分割されており、この板片３ｄ，３ｅ同士の間には、上記第１実施形態と同様に所定の間隔Ｌがあけられている。
【００３１】
さらにこのマット１０には、当該マット１０を折り畳んだ状態で、同位置に位置するマットの端面付近のそれぞれに、互いに係着する係着手段が設けられている。
【００３２】
上記係着手段は、マット１０の一方の端面付近に形成されたスリット４と、他方の端面が切り込まれることによって形成され、上記スリット４に嵌り込んで係合する係合片５とによって構成されている。このスリット４及び係合片５は、上記第１実施形態で示した製造方法によりマットが製造された後に、このマットを加工することによって形成される。
【００３３】
上記係合片５は、具体的には、２本の切り込み線６ａ，６ｂに沿ってマット１０の端面が切り込まれることによって形成されている。この２本の切り込み線６ａ，６ｂは、互いに対象であって、互いに平行にマット１０の端面からこの端面に対して略垂直に伸び、端面から少し内側に入った所で互いに向かい合うように略垂直に折れ曲がり、さらにその少し先でまたマット１０の内側に向かうように略垂直に折れ曲がっている。この切り込み線６ａ，６ｂに沿ってマット１０の端面が切り込まれることにより、先端が幅広の形状である係合片５が形成されている。
【００３４】
このマット１０を折り畳む際には、上記係合片５を上記スリット４に嵌め込み、上記係合片５の幅広部分５ａを上記スリット４から通過させることにより、この幅広部分５ａが上記スリット４に係合してマット１０の折り畳み状態が維持されるようになっている。
【００３５】
係着手段をこのような構成とすることにより、係着手段を例えばボタンとこのボタンを係着させる切り込みが形成されたヒモとによって構成するよりも安価に構成することができる。
【００３６】
また、このような係着手段をマット１０に設けることにより、マット１０を折り畳んだ状態でバンド等を用いて固縛しなくとも、上記係着手段を係着させて、マット１０のみで折り畳んだ状態を維持することができ、さらに携行性を向上させることができる。
【００３７】
さらには、この折り畳み式マット１０は、レジャーの食事時等に座布団として使用することができるため、このようなレジャーにおいても当該マット１０をコンパクトに折り畳んで携行することができる。
【００３８】
本発明の折り畳み式マット１，１０は、上記第１及び第２実施形態で示した形態に限定されるものではなく、その趣旨を逸脱しない範囲で種々の変更が可能である。
【００３９】
例えば、大型のマット１であっても、座布団程度の大きさのマット１０であっても、マット１，１０を構成する発泡合成樹脂板３を３枚以上の板片に分割して、当該マット１，１０を表裏交互に折り返して折り畳むことも可能であるし、上記発泡合成樹脂板３を２枚に分割して、第２実施形態で示したように、マット１，１０を加工することにより安価に係着手段を設けることも可能である。
【００４０】
また、上記係着手段が設けられる位置、数量は、第２実施形態で示した位置、数量に限られず、マット１，１０の端面付近の複数箇所に設けられていてもかまわない。
【図面の簡単な説明】
【００４１】
【図１】本発明の第１実施形態に係る折り畳み式マットを示す斜視図である。
【図２】上記マットの側面断面図である。
【図３】上記マットを折り畳んだときの状態を示す斜視図である。
【図４】本発明の第２実施形態に係る折り畳み式マットを示す斜視図である。
【図５】上記マットを折り畳もうとするときの状態を示す斜視図である。
【符号の説明】
【００４２】
１，１０  折り畳み式マット
２  表面シート
３  発泡合成樹脂板
３ａ，３ｂ，３ｃ，３ｄ，３ｅ  板片
４  スリット
５  係合片
【図１】
2005211399.tif 000003
【図２】
2005211399.tif 000004
【図３】
2005211399.tif 000005
【図４】
2005211399.tif 000006
【図５】
2005211399.tif 000007